(57)【要約】【課題】  中間転写体ブレード捲れを防止し、安定した画像形成装置の提供。【解決手段】  像形成体と、帯電手段と、書込装置と、現像手段と、中間転写体と、中間転写体、転写紙への１次、２次転写手段と、前記中間転写体のクリーニングブレードとを有し、前記像形成体上で１番目の画像領域前方近傍の非画像領域にトナー帯を主走査方向に作り、前記中間転写体に転写する画像形成装置において、プリント設定数が第１の基準値未満の場合には、過去最終の第２の基準値の枚数間の総プリント作成時に前記クリーニングブレード両端から所定の長さの領域に書き込まれた総画素数と、前記トナー帯の形成直前の機内温度とに応じて、前記トナー帯の副走査方向長さを変更することを特徴とする画像形成装置。【選択図】        図４
2005106919.tif 000002
【特許請求の範囲】
【請求項１】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の機内温度とに応じて、前記トナー帯の副走査方向長さを変更する制御部を有することを特徴とする画像形成装置。
【請求項２】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の機内温度とに応じて、前記トナー帯形成時の露光電位と現像バイアス電位との差を変更する制御部を有することを特徴とする画像形成装置。
【請求項３】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の機内温度とに応じて、前記トナー帯形成時の画素印字面積率を変更する制御手段を有することを特徴とする画像形成装置。
【請求項４】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の前記中間転写体の総走行距離とに応じて、前記トナー帯の副走査方向長さを変更する制御部を有することを特徴とする画像形成装置。
【請求項５】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の前記中間転写体の総走行距離とに応じて、前記トナー帯形成時の露光電位と現像バイアス電位との差を変更する制御部を有することを特徴とする画像形成装置。
【請求項６】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の前記中間転写体の総走行距離とに応じて、前記トナー帯形成時の画素印字面積率を変更する制御部を有することを特徴とする画像形成装置。
【請求項７】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の機内温度とに応じて、副走査方向長さを変更して当該トナー帯を前記像形成体に形成し、前記中間転写体に転写するとともに、プリント数が第１の基準値のｎ倍に達する度に、（ｎ−１）倍目の総プリント作成時に前記クリーニングブレードの両端からそれぞれ所定の長さで定義される領域に書き込まれた総画素数と、ｎ番目の最初の画像領域前方近傍の非画像領域の主走査方向に形成するトナー帯の形成直前の機内温度とに応じて、当該トナー帯の副走査方向長さを変更する制御部を有することを特徴とする画像形成装置。
【請求項８】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の機内温度とに応じて、露光電位と現像バイアス電位との差を変更して当該トナー帯を前記像形成体に形成し、前記中間転写体に転写するとともに、プリント数が第１の基準値のｎ倍に達する度に、（ｎ−１）番目の総プリント作成時に前記クリーニングブレードの両端からそれぞれ所定の長さで定義される領域に書き込まれた総画素数と、ｎ番目の最初の画像領域前方近傍の非画像領域の主走査方向に形成するトナー帯の形成直前の機内温度とに応じて、ｎ番目の非画像領域に形成するトナー帯形成時の露光電位と現像バイアス電位との差を変更する制御手段を有することを特徴とする画像形成装置。
【請求項９】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の機内温度とに応じて、画素印字面積率を変更して当該トナー帯を像形成体に形成し、前記中間転写体に転写するとともに、プリント数が第１の基準値のｎ倍に達する度に、（ｎ−１）倍目の総プリント作成時に前記クリーニングブレードの両端からそれぞれ所定の長さで定義される領域に書き込まれた総画素数と、ｎ番目の最初の画像領域前方近傍の非画像領域の主走査方向に形成するトナー帯の形成直前の機内温度とに応じて、当該トナー帯の画素印字面積率を変更する制御手段を有することを特徴とする画像形成装置。
【請求項１０】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の中間転写体の総走行距離とに応じて、副走査方向長さを変更する当該トナー帯を前記像形成体に形成し、前記中間転写体に転写するとともに、プリント数が第１の基準値のｎ倍に達する度に、（ｎ−１）倍目の総プリント作成時に前記クリーニングブレードの両端からそれぞれ所定の長さで定義される領域に書き込まれた総画素数と、ｎ番目のトナー帯の形成直前の前記中間転写体の総走行距離とに応じて、ｎ番目の最初の画像領域前方近傍の非画像領域の主走査方向に形成するトナー帯の副走査方向長さを変更する制御手段を有することを特徴とする画像形成装置。
【請求項１１】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の中間転写体の総走行距離とに応じて、露光電位と現像バイアス電位との差を変更して当該トナー帯を像形成体に形成し、中間転写体に転写するとともに、プリント数が第１の基準値のｎ倍に達する度に、（ｎ−１）倍目の総プリント作成時に前記クリーニングブレードの両端からそれぞれ所定の長さで定義される領域に書き込まれた総画素数と、ｎ番目のトナー帯の形成直前の前記中間転写体の総走行距離とに応じて、ｎ番目の最初の画像領域前方近傍の非画像領域の主走査方向にトナー帯形成時の露光電位と現像バイアス電位との差を変更する制御手段を有することを特徴とする画像形成装置。
【請求項１２】
像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の中間転写体の総走行距離とに応じて、画素印字面積率を変更して当該トナー帯を像形成体に形成し、中間転写体に転写するとともに、プリント数が第１の基準枚数のｎ倍に達する度に前記非画像領域に、（ｎ−１）倍目の基準値の枚数間におけるプリント作成時にクリーニングブレードの両端からそれぞれ所定の長さで定義される領域に書き込まれた総画素数と、ｎ番目のトナー帯の形成直前の中間転写体の総走行距離に応じて、ｎ番目の最初の画像領域前方近傍の非画像領域の主走査方向に形成するトナー帯の画素印字面積率を変更する制御手段を有することを特徴とする画像形成装置。
【請求項１３】
前記トナー帯は、前記クリーニングブレードの両端からそれぞれ所定の長さの領域にのみ対応するように形成されることを特徴とする請求項１〜６のいずれか１項に記載の画像形成装置。
【請求項１４】
前記トナー帯は、前記クリーニングブレードの両端からそれぞれ所定の長さの領域にのみ対応するように形成されることを特徴とする請求項７〜１２のいずれか１項に記載の画像形成装置。
【発明の詳細な説明】
【技術分野】
【０００１】
本発明は、複写機、プリンタ、ＦＡＸ等の電子写真方式の画像形成装置に関し、特に中間転写体を清掃するブレード式クリーニング装置を有する画像形成装置に関する。
【背景技術】
【０００２】
前記像形成体上に形成されたトナー像を中間転写体上に１次転写し、さらに転写紙上に２次転写し、２次転写した後の中間転写体には微量のトナーが残存しており、これを放置しておくと、次の画像を形成する場合に、残存トナーによる画像汚れが発生する。
【０００３】
そこで、転写後の中間転写体上の残留トナーを除去するために、ポリウレタンなどの合成ゴム製の板状のクリーニングブレード（以下、単にブレードともいう。）を用い、このエッジ部を中間転写体面に押しつけ、トナーを堰き止めて除去するブレード方式を採用している。
【０００４】
ブレードと中間転写体との摩擦係数は高く、通常状態ではブレードと中間転写体とは滑りにくく、ブレードのエッジにトナーが進入することによる潤滑効果ができ、摩擦係数が低下して滑り易い状態となる。
【０００５】
また、ブレードの長さはトナー飛散防止のため画像領域の幅より長いのが一般的であるが、通常の画像形成装置は、複数のサイズの転写紙を使用できるようになっており、小サイズの画像形成の頻度が高いと画像領域内でもトナーが付着される頻度が少ない部分（特に、ブレードの両端部）が生じてくる。その結果、ブレードの両端部に供給されるトナーの量が少なくなり、この両端部におけるブレードと中間転写体との摩擦係数が高くなる傾向がある。また、機内の温度によるブレードの硬度も変化し、クリーニング効果に影響を与えることも考慮しなければならない。
【０００６】
ブレードと中間転写体との摩擦係数が高くなりすぎると、ブレードめくれが発生し、画像不良につながる。そこで、ブレードエッヂに潤滑剤の役割として適量のトナーを常に供給する必要が生じる。
【０００７】
前記ブレードめくれ防止対策の公知技術として、クリーニングに先立って、中間転写体上の転写紙に転写されない位置に、ブレードの長さとほぼ等しいパターン画像をトナーで形成する技術が開示されている（例えば、特許文献１参照）。
【特許文献１】特開平１１−１０９８１９号公報
【発明の開示】
【発明が解決しようとする課題】
【０００８】
しかしながら、近年、電子写真方式の画像形成装置においても、オフセット印刷並みの高画質が要求されるようになり、これを実現するために、体積平均粒径３〜５μｍ程度の小粒径トナーを用いる技術が提案されている現状から、小粒径トナーは中間転写体との付着力が従来のトナーよりも大きいので、より高いクリーニング性能が要求される。したがって、管理されたトナー量によるパターン画像をクリーニングに先立って画像領域の前に形成することで、中間転写体とブレードとの摩擦係数を低減させることができる。また、トナー量が過剰となるとクリーニング性能の厳しい小粒径トナーを良好にクリーニングすることは困難となりブレードからトナーすり抜け等の画像不良の発生につながる。
【０００９】
上記、開示の技術は、パターン画像の大きさや形成頻度について何ら言及されておらず、不適なトナー量がブレードに供給され、クリーニング不良を引き起こす場合も懸念される。
【００１０】
本発明は、中間転写体上の画像領域前方近傍の非画像領域に、ブレードの長さとほぼ等しいトナー帯を、またはトナーの量が少ない領域であるブレードの両端部から所定の長さ（中央部ではトナー帯がない）に、機内温度、中間転写体の使用量（総走行距離）等に応じて、トナー帯の副走査方向長さ、または露光電位と現像バイアスとの差、または画素の印字密度を変更することによってトナー帯を形成し、安定した画質の画像形成装置を提供することを目的とする。
【課題を解決するための手段】
【００１１】
上記目的は、以下の構成によって達成することができる。
【００１２】
（１）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の機内温度とに応じて、前記トナー帯の副走査方向長さを変更する制御部を有することを特徴とする画像形成装置（第１の発明）。
【００１３】
（２）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の機内温度とに応じて、前記トナー帯形成時の露光電位と現像バイアス電位との差を変更する制御部を有することを特徴とする画像形成装置（第２の発明）。
【００１４】
（３）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の機内温度とに応じて、前記トナー帯形成時の画素印字面積率を変更する制御手段を有することを特徴とする画像形成装置（第３の発明）。
【００１５】
（４）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の前記中間転写体の総走行距離とに応じて、前記トナー帯の副走査方向長さを変更する制御部を有することを特徴とする画像形成装置（第４の発明）。
【００１６】
（５）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の前記中間転写体の総走行距離とに応じて、前記トナー帯形成時の露光電位と現像バイアス電位との差を変更する制御部を有することを特徴とする画像形成装置（第５の発明）。
【００１７】
（６）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有し、前記像形成体上で１番目の画像領域前方近傍の非画像領域にトナー帯を主走査方向に形成し前記中間転写体に転写する画像形成装置において、プリント設定数が第１の基準値未満である場合には、過去最終の第２の基準値の枚数間における総プリント作成時に前記クリーニングブレードの両端からそれぞれ所定の長さで定義される領域に書き込まれた総画素数と、前記トナー帯の形成直前の前記中間転写体の総走行距離とに応じて、前記トナー帯形成時の画素印字面積率を変更する制御部を有することを特徴とする画像形成装置（第６の発明）。
【００１８】
（７）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の機内温度とに応じて、副走査方向長さを変更して当該トナー帯を前記像形成体に形成し、前記中間転写体に転写するとともに、プリント数が第１の基準値のｎ倍に達する度に、（ｎ−１）倍目の総プリント作成時に前記クリーニングブレードの両端からそれぞれ所定の長さで定義される領域に書き込まれた総画素数と、ｎ番目の最初の画像領域前方近傍の非画像領域の主走査方向に形成するトナー帯の形成直前の機内温度とに応じて、当該トナー帯の副走査方向長さを変更する制御部を有することを特徴とする画像形成装置（第７の発明）。
【００１９】
（８）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の機内温度とに応じて、露光電位と現像バイアス電位との差を変更して当該トナー帯を前記像形成体に形成し、前記中間転写体に転写するとともに、プリント数が第１の基準値のｎ倍に達する度に、（ｎ−１）番目の総プリント作成時に前記クリーニングブレードの両端からそれぞれ所定の長さで定義される領域に書き込まれた総画素数と、ｎ番目の最初の画像領域前方近傍の非画像領域の主走査方向に形成するトナー帯の形成直前の機内温度とに応じて、ｎ番目の非画像領域に形成するトナー帯形成時の露光電位と現像バイアス電位との差を変更する制御手段を有することを特徴とする画像形成装置（第８の発明）。
【００２０】
（９）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の機内温度とに応じて、画素印字面積率を変更して当該トナー帯を像形成体に形成し、前記中間転写体に転写するとともに、プリント数が第１の基準値のｎ倍に達する度に、（ｎ−１）倍目の総プリント作成時に前記クリーニングブレードの両端からそれぞれ所定の長さで定義される領域に書き込まれた総画素数と、ｎ番目の最初の画像領域前方近傍の非画像領域の主走査方向に形成するトナー帯の形成直前の機内温度とに応じて、当該トナー帯の画素印字面積率を変更する制御手段を有することを特徴とする画像形成装置（第９の発明）。
【００２１】
（１０）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の中間転写体の総走行距離とに応じて、副走査方向長さを変更する当該トナー帯を前記像形成体に形成し、前記中間転写体に転写するとともに、プリント数が第１の基準値のｎ倍に達する度に、（ｎ−１）倍目の総プリント作成時に前記クリーニングブレードの両端からそれぞれ所定の長さで定義される領域に書き込まれた総画素数と、ｎ番目のトナー帯の形成直前の前記中間転写体の総走行距離とに応じて、ｎ番目の最初の画像領域前方近傍の非画像領域の主走査方向に形成するトナー帯の副走査方向長さを変更する制御手段を有することを特徴とする画像形成装置（第１０の発明）。
【００２２】
（１１）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の中間転写体の総走行距離とに応じて、露光電位と現像バイアス電位との差を変更して当該トナー帯を像形成体に形成し、中間転写体に転写するとともに、プリント数が第１の基準値のｎ倍に達する度に、（ｎ−１）倍目の総プリント作成時に前記クリーニングブレードの両端からそれぞれ所定の長さで定義される領域に書き込まれた総画素数と、ｎ番目のトナー帯の形成直前の前記中間転写体の総走行距離とに応じて、ｎ番目の最初の画像領域前方近傍の非画像領域の主走査方向にトナー帯形成時の露光電位と現像バイアス電位との差を変更する制御手段を有することを特徴とする画像形成装置（第１１の発明）。
【００２３】
（１２）像形成体と、前記像形成体の表面を一様帯電する帯電手段と、帯電された前記像形成体の表面を像露光して前記像形成体上に静電潜像を形成するデジタル式像露光手段と、前記静電潜像を体積平均粒径が３〜５μｍのトナーにより現像しトナー像にする現像手段と、当該トナー像を中間転写体上に転写する１次転写手段と、前記中間転写体上で重ね合わされたフルカラー画像を転写紙上に転写する２次転写手段と、前記中間転写体上に残留した未転写のトナーを清掃するためのクリーニングブレードとを有する画像形成装置において、プリント設定数が第１の基準値以上である場合には、過去最終の第２の基準値の枚数間における総プリント作成時に前記クリーニングブレードの両端からそれぞれ所定の長さで定義される領域に書き込まれた総画素数と、１番目の画像領域前方近傍の非画像領域の主走査方向に形成するトナー帯の形成直前の中間転写体の総走行距離とに応じて、画素印字面積率を変更して当該トナー帯を像形成体に形成し、中間転写体に転写するとともに、プリント数が第１の基準枚数のｎ倍に達する度に前記非画像領域に、（ｎ−１）倍目の基準値の枚数間におけるプリント作成時にクリーニングブレードの両端からそれぞれ所定の長さで定義される領域に書き込まれた総画素数と、ｎ番目のトナー帯の形成直前の中間転写体の総走行距離に応じて、ｎ番目の最初の画像領域前方近傍の非画像領域の主走査方向に形成するトナー帯の画素印字面積率を変更する制御手段を有することを特徴とする画像形成装置（第１２の発明）。
【発明の効果】
【００２４】
中間転写体の画像領域前方近傍の非画像領域に、機内温度、中間転写体走行距離（プリント数）等、の条件に応じて管理されたパターン像であるトナー帯を形成することによって、中間転写体とブレードとの摩擦係数が適度に保たれ、ブレードめくれ、トナーすり抜けが防止できる。
【発明を実施するための最良の形態】
【００２５】
はじめに、本発明の画像形成装置について説明する。
【００２６】
本発明の実施の形態における説明では、本明細書に用いる用語により技術範囲が限定されることはない。
【００２７】
図１は画像形成装置の全体構成の一例を示す模式図である。
【００２８】
図において、１０は像形成体である感光体、１１は帯電手段であるスコロトロン帯電器、１２はデジタル式像露光手段である書込装置、１３は現像手段である現像器、１４は感光体１０の表面を清掃するためのクリーニング装置、１５は感光体１０のクリーニングブレード、１６は現像スリーブ、２０は中間転写体である中間転写ベルトを示す。画像形成手段１は感光体１０、スコロトロン帯電器１１、現像器１３、およびクリーニング装置１４等からなっており、各色毎の画像形成手段１の機械的な構成は同じであるので、図ではＹ（イエロー）系列のみの構成について参照符号を付けており、Ｍ（マゼンタ）、Ｃ（シアン）およびＫ（黒）の構成要素については参照符号を省略した。
【００２９】
各色毎の画像形成手段１の配置は中間転写ベルト２０の走行方向に対して、Ｙ、Ｍ、Ｃ、Ｋの順になっており、各感光体１０は中間転写ベルト２０の張設面に接触し、接触点で中間転写ベルト２０の走行方向と同方向、かつ、同線速度で回転する。
【００３０】
中間転写ベルト２０は駆動ローラ２１、アースローラ２２、テンションローラ２３、除電ローラ２７、従動ローラ２４に張架され、これらのローラと中間転写ベルト２０、クリーニング装置２８等でベルトユニット３を構成する。
【００３１】
中間転写ベルト２０の走行は不図示の駆動モータによる駆動ローラ２１の回転によって行われる。
【００３２】
感光体１０は、例えばアルミ材によって形成される円筒状の金属基体の外周に導電層、ａ−Ｓｉ層あるいは有機感光体（ＯＰＣ）等の感光層を形成したものであり、導電層を接地した状態で図の矢印で示す反時計方向に回転する。
【００３３】
読み取り装置８０からの画像データに対応する電気信号は画像形成レーザで光信号に変換され、書込装置１２によって感光体１０上に投光される。
【００３４】
現像器１３は、感光体１０の周面に対し所定の間隔を保ち、感光体１０の回転方向と最接近位置において同方向に回転する円筒状の非磁性ステンレスあるいはアルミ材で形成された現像スリーブ１６を有している。
【００３５】
中間転写ベルト２０は、体積抵抗率１０6〜１０12Ω・ｃｍの無端ベルトであり、例えば変性ポリイミド、熱硬化ポリイミド、エチレンテトラフルオロエチレン共重合体、ポリフッ化ビニリデン、ナイロンアロイ等のエンジニアリングプラスチックに導電材料を分散した、厚さ０．１〜１．０ｍｍの半導電性フィルム基体の外側に、好ましくはトナーフィルミング防止層として厚さ５〜５０μｍのフッ素コーティングを行った、２層構成のシームレスベルトである。ベルトの基体としては、この他に、シリコンゴム或いはウレタンゴム等に導電材料を分散した厚さ０．５〜２．０ｍｍの半導電性ゴムベルトを使用することもできる。
【００３６】
２５は１次転写手段であるコロナ放電型の転写器で、トナーと反対極性の直流が印加され、感光体１０上に形成されたトナー像を中間転写ベルト２０上に転写させる機能を有する。転写器２５としてはコロナ放電器の他に転写ローラを用いることもできる。
【００３７】
２６はアースローラ２２から当接および当接解除可能な２次転写手段である転写ローラで、中間転写ベルト２０上に形成されたトナー画像を転写紙Ｐに再転写する。
【００３８】
２８はクリーニング装置で、中間転写ベルト２０を挟んで従動ローラ２４に対向して設けられている。２８Ａはクリーニング装置２８近辺の機内温度を検知する温度センサである。
【００３９】
トナー画像を転写紙Ｐに転写後、中間転写ベルト２０はトナーと同極性または逆極性の直流電圧を重畳した交流電圧が印加された除電ローラ２７によって残留トナーの電荷が弱められ、中間転写体用クリーニングのブレード２９によって周面上の残留トナーが清掃される。本発明においては、ブレード２９は、副走査方向の画像領域先方近傍の非画像領域に走査方向に形成されたトナー帯２０Ｂ（図２参照）と画像領域とをクリーニングすることができるようになっている。なお、中間転写体のクリーニング処理法についての詳細は後述する。
【００４０】
４は定着装置であって、金属の基体とシリコンゴムをベルト状に成型した定着ベルト４０とこれを支持搬送するベルト支持ローラ４１、加熱ローラ４２および前記定着ベルト４０と転写紙Ｐとを挟んで加圧、加熱定着する加圧ローラ４３、両ローラ挟持前の加圧部材である補助加圧機構４５、不図示のベルト清掃用のウェブ等からなっている。
【００４１】
前記加熱ローラ４２は薄手のアルミから形成された円筒状のもので、内側から所定の温度まで加熱するハロゲンヒータ４７等を有し、外側表面に密着して巻かれた前記定着ベルト４０はその伝導熱によって加熱される。その温度は、前記加熱ローラ４２に設置された接触温度センサ４８により検出され、制御部Ｂ１で温度制御される。
【００４２】
次に、図１に基づいて画像形成プロセスを説明する。
【００４３】
はじめに、所定のプリント数が第１の基準値として予め設定され入力されており、プリントしようとする（希望する）プリント枚数が設定される。不図示のプリントボタンを押し、画像記録のスタートと同時に不図示の感光体駆動モータの始動により色信号Ｙの感光体１０は矢印で示す反時計方向に回転され、同時にスコロトロン帯電器１１の帯電作用により感光体１０に電位の付与が開始される。
【００４４】
感光体１０は電位を付与されたあと、書込装置１２によってＹの画像データに対応する画像の書込みが開始され、感光体１０の表面に原稿画像のＹの画像に対応する静電潜像が形成される。
【００４５】
前記静電潜像はＹの現像器１３により非接触の状態で反転現像され、感光体１０の回転に応じてＹのトナー画像が感光体１０上に形成される。
【００４６】
当該感光体１０上に形成されたＹのトナー画像は、Ｙの転写器２５の作用により、中間転写ベルト２０上に転写される。
【００４７】
その後、前記感光体１０はクリーニング装置１４によって清掃され、次の画像形成サイクルにはいる（以下、Ｍ、Ｃ、Ｋのクリーニングプロセスにても同様故、説明を省略する）。
【００４８】
次いで、書込装置１２によってＭ（マゼンタ）の色信号すなわちＭの画像データに対応する画像書き込みが行われ、感光体１０の表面に原稿画像のＭの画像に対応する静電潜像が形成される。当該静電潜像は、Ｍの現像器１３により感光体１０上にＭのトナー画像となり、Ｍの転写器２５において、中間転写ベルト２０上の前記Ｙのトナー画像と同期が取られ、前記Ｙのトナー画像の上に重ね合わされる。
【００４９】
同様のプロセスにより、Ｙ、Ｍの重ね合わせトナー像と同期が取られ、Ｃ（シアン）のトナー画像が、Ｃの転写器２５において、前記のＹ、Ｍの重ね合わせトナー画像上へ重ね合わされる。次に、本発明に係わるＫのトナー帯がＫの感光体１０上の画像領域前方近傍の非画像領域に主走査方向に形成されてから、すでに形成されているＹ、Ｍ、Ｃの重ね合わせトナー像と同期が取られ、Ｋのトナー画像が、Ｋの転写器２５において、前記のＹ、Ｍ、Ｃの重ね合わせトナー画像上へ重ね合わされ、中間転写ベルト２０上にＫのトナー帯とＹ、Ｍ、ＣおよびＫの重ね合わせトナー画像が形成される。実施の形態では、前記非画像領域にＫのトナー帯を形成したが、Ｙ、Ｍ、Ｃのうち少なくとも何れか１つを前記非画像領域に形成してもよい。
【００５０】
重ね合わせトナー画像が担持されている中間転写ベルト２０は矢印のように時計方向に送られ、転写紙Ｐが紙カセット７２より、紙送り出しローラ７０によって送り出され、搬送ローラ７３を経て、タイミングローラ７１へ搬送され、当該タイミングローラ７１の駆動によって、中間転写ベルト２０上の重ね合わせトナー画像と同期がとられて、トナーと反対極性の直流電圧が印加されている転写ローラ２６（中間転写ベルト２０に当接状態にある）の転写領域Ｓに給送され、中間転写ベルト２０上の重ね合わせトナー画像が転写紙Ｐに転写される。
【００５１】
なお、トナー帯２０Ｂ（図２参照）が転写ローラ２６を通過するときは、転写ローラ２６は、まだ中間転写ベルト２０に当接状態になっておらず、転写紙Ｐが転写領域Ｓに入ると同時に当接状態となる。すなわち、トナー帯２０Ｂは転写紙Ｐには転写されることはない。
【００５２】
その後、中間転写ベルト２０は走行し、除電ローラ２７で前記トナー帯２０Ｂおよび残留トナーの電荷が弱められ、当該中間転写ベルト２０に当接したブレード２９により清掃され、次の画像形成サイクルに入る。前述したように、最適のトナー量のトナー帯が清掃すべき画像領域前方近傍にあることで、摩擦抵抗が減少し、ブレード２９のめくれ、トナーぬけ等の発生が回避できる。
【００５３】
重ね合わせトナー画像が転写された転写紙Ｐは、更に定着装置４へと送られ、定着ベルト４０を介してベルト支持ローラ４１と加圧ローラ４３に加挟持、加圧され定着される。トナー像が溶融定着された転写紙Ｐは排紙ローラ８１によって排紙皿８２へ搬送される。
【００５４】
次に、本発明に係る中間転写ベルト（以下、中間転写体ともいう。）のクリーニング処理について説明する。
【００５５】
図２は、中間転写体上の画像領域前方近傍の非画像領域に形成されたトナー帯を示す図である。
【００５６】
図２において、中間転写体である中間転写ベルト２０上に、画像領域２０Ａと副走査方向に幅ｄで形成されたトナー帯２０Ｂが表示され、中間転写ベルト２０は矢印ｗ方向に走行する。
【００５７】
本発明は、非画像領域に形成するトナー帯のトナー量を画像情報（画素数）と機内温度または中間転写体の総走行距離に応じてトナー帯のトナー量を変更する制御部を設け、ブレードめくれ、トナーすり抜けを防止することを特徴としている。
【００５８】
すなわち、本発明は、画像領域前方近傍の非画像領域にトナー帯を形成することによってブレードエッジ部に最適なトナー量を供給することを基本としている。
【００５９】
ここで、ブレード両端部に対応する領域に書き込まれた画像情報の総画素数としていつの情報を参照するかは、基本として、第１の基準値の枚数を想定し、プリントしようとする設定枚数が基準値未満の場合と以上の場合に分けて対処する。
【００６０】
はじめに、プリント設定枚数が基準値未満の場合は、画像情報のデータが少ないので、ブレードへ供給するトナー量を判断（多いか少ないか）する情報としては不十分である。したがって、この場合には、過去最終（直近）のプリント時に設定されていた第２の基準値の枚数でのデータを参照する。
【００６１】
図３は、画像領域内のブレード両端部から所定の長さで定義される領域を示す図である。
【００６２】
すなわち、第２の基準値の枚数間における、長さｔのブレード２９の両端２９１から内側に長さｇで定義される領域ｕに書き込まれた総画素数のデータが使われる。ここで、長さｔは主走査方向の画像領域とほぼ同じと想定する。また、過去最終（直近）の画像情報である前記データは制御部Ｂ１（図１参照）に記憶されている。
【００６３】
そして、前記総画素数の情報と、機内温度または中間転写体の総走行距離の情報とから判断した結果によってトナー帯の形状条件（副走査方向長さ、露光電位と現像バイアスとの差、画素の面積印字率）を決定して、中間転写体上の１番目の画像領域前方近傍の非画像領域にブレードの最大長さ（主走査方向の）になるようにトナー帯を形成し、中間転写体に転写する。
【００６４】
ブレードの最大長さになるようにトナー帯を形成する理由は、前述したように、摩擦係数が高くなりがちなブレード両端部にもトナーを供給するためである。
【００６５】
ここで、トナー帯を形成する制御部について図４にて説明する。
【００６６】
図４は、制御部に係わるブロック図である。
【００６７】
図４において、記憶部には、機内温度または感光体の総走行距離に対するトナー帯の長さ、露光電位と現像バイアス差、画素印字面積率等の最適トナー量が記憶されており、機内温度または総走行距離の何れかの選択と制御対象Ｂ２の（中間転写体に転写すべく）トナー帯の長さ、露光電位と現像バイアス差、画素印字面積率の何れかの選択との組み合わせで、各々最適トナー量となるトナー帯が形成されるように制御部Ｂ１にプログラムされている。
【００６８】
はじめに、上記のプリント設定枚数が基準値未満の場合について、以下に図５で説明する。
【００６９】
図５は、第１の基準値未満のプリント設定枚数時のプリントの流れとトナー帯の形成を示す図である。
【００７０】
図５において、Ｆはプリントの流れ方向で、Ｓはプリントボタンを押す時点を示す。
【００７１】
ここでは、第１の基準値の枚数を５Ｐ（枚）、プリント設定枚数を４Ｐ（枚）とし、過去最終（直近）のプリント作成時の第２の基準値の枚数を１０Ｐ（枚）とした場合を示している。なお、第１の基準値と第２の基準値が同じ値でもよい。
【００７２】
不図示のコピーボタンが押され、前記トナー帯の形成直前で、温度センサ２８Ａ（図１参照）で検知された機内温度、またはそれまでの中間転写体の総走行距離がデータとして呼び出され、当該データと過去最終（直近）のデータである前記第２の基準値データ（ブレード両端からそれぞれ所定の長さで定義される領域ｕ（図３参照）に書き込まれた総画素数）とからブレード２９へ供給する最適なトナー量がプログラムから選択、決定され、中間転写ベルト２０の１番目の画像領域前方近傍に転写すべくトナー帯が感光体１０に形成される。なお、前記データが呼び出されるタイミングはコピーボタンの押釦からトナー帯形成開始までの間でもよい。また、機内温度または中間転写体の総走行距離に対する基準値の最適トナー量は制御部Ｂ１にプログラムされている。
【００７３】
次に、プリント設定枚数が第１の基準値以上の場合について図６で説明する。
【００７４】
図６は、第１の基準値以上のプリント設定枚数時のプリントの流れとトナー帯の形成を示す図である。
【００７５】
図６において、ここでは、第１の基準値の枚数を５Ｐ（枚）、プリント設定枚数は１２Ｐ（枚）とし、中間転写ベルト２０に転写する１番目のトナー帯の形成条件決定のための参照情報としては、基準値未満の場合と同じように、第２の基準値１０Ｐ（枚）でのブレード両端部からそれぞれ所定の長さで定義される領域ｕ（図３参照）に書き込まれた画像情報の総画素数を参照し、トナー帯形成直前（またはコピーボタンの押釦からトナー帯形成開始までの間）で、温度センサ２８Ａ（図１参照）で検知された機内温度、またはそれまでの中間転写体走行距離がデータとして呼び出され、当該データと第２の基準値（１０Ｐ）データとからブレードへ供給する最適なトナー量がプログラムから選択、決定され、中間転写体の１番目の画像領域前方近傍に転写すべくトナー帯が感光体１０に形成される。その後、第１の基準値（５Ｐ）が完了した時点で、当該第１の基準値の枚数間で得た前記領域ｕの総画素数と６番目の画像形成直前の機内温度、または中間転写体の総走行距離のデータとからブレードへ供給する最適なトナー量がプログラムから選択、決定され、中間転写体に転写すべくトナー帯が感光体１０に形成される。以後、１１番目のプリント開始時にも同様なプロセスで行われる。
【００７６】
すなわち、このプリント中のプリント数が第１の基準値のｎ倍に達する度に、＜（第１の基準値）×（ｎ−１）＋１＞番目の画像領域前方近傍の感光体１０上の非画像領域に中間転写体に転写すべく最大露光幅のトナー帯が感光体１０上に形成されるが、その際に参照する情報としては、（ｎ−１）倍目の第１の基準値のプリント枚数間で得られた前記領域ｕの総画素数と、ｎ番目のトナー帯形成直前の機内温度、または中間転写体の総走行距離のデータとからブレード２９へ供給する最適なトナー量が決定され、トナー帯の長さｄ、または露光電位と現像バイアスとの差、またはが素印字面積率が変更された、トナー帯が感光体１０に形成される。なお、前記機内温度または前記総走行距離のデータはｎ番目のトナー帯形成直前または第１の基準値×（ｎ−１）番目の最終プリントが終わってｎ番目のトナー帯形成開始までの間での測定データでもよい。
【００７７】
また、上記のように参考情報を小分けにする理由について説明する。
【００７８】
第１の基準値以上の枚数のプリント作成には、パソコンから画像を出力する場合と原稿をコピーする場合があるが、特に多数枚原稿をコピーする場合には、プリント開始時点では画像情報を把握できないため小分けにした直近の画像情報を随時参照して、トナー帯形成条件にその画像情報をフィードバックする方法が有効と判断したためである。
【００７９】
第１の発明は、プリント設定枚数が第１の基準値未満の場合、過去最終（直近）のプリント時の第２の基準値の枚数間でブレード両端部の所定の領域ｕ（図３参照）に書込まれた総画素数とトナー帯形成直前の機内温度とに応じて、トナー帯の副走査方向長さである幅ｄ（図２参照）を変更し、トナー量を管理することを特徴としている。
【００８０】
すなわち、ブレードの硬度に対応する機内温度と第２の基準値でのブレード両端部の領域ｕ書込まれた総画素数に応じてトナー帯の幅ｄ（図２参照）を変更して最適なトナー量をブレードのエッジに供給すればブレードと中間転写体との摩擦係数が低下し、ブレードのめくれ、トナーすり抜けを回避することができる。
【００８１】
第２の発明は、プリント設定枚数が第１の基準値未満の場合、過去最終のプリント時の第２の基準値の枚数間でブレード両端部に対応する領域ｕ（図３参照）に書込まれた総画素数とトナー帯の形成直前の機内温度とに応じて、露光電位とバイアス電位の差を変更し、一定のトナー帯幅ｄ（図２参照）のトナー帯のトナー量を管理することを特徴としている。これは露光電位と現像バイアス電位との差を変更することによって感光体１０（図１参照）上に形成される、中間転写体に転写すべく最初のトナー帯のトナー量が変化することに基づいている。
【００８２】
すなわち、ブレードの硬度に対応する機内温度と第２の基準値でのブレード両端部の領域ｕに書込まれた総画素数に応じて、露光電位と現像バイアス電位との差を変更することによって、一定のトナー帯の幅ｄのトナー帯に付着する最適トナー量をブレード２９のエッジに供給すればブレードのめくれ、トナーすり抜けを回避することができる。
【００８３】
第３の発明は、プリント設定枚数が第１の基準値未満の場合、過去最終のプリント時の第２の基準値の枚数間でブレード両端部に対応する領域ｕ（図３参照）に書込まれた総画素数とトナー帯の形成直前の機内温度とに応じて、画素の印字面積率を変更し、一定のトナー帯幅ｄ（図２参照）のトナー帯のトナー量を管理することを特徴としている。
【００８４】
すなわち、ブレードの硬度に対応する機内温度と第２の基準値でのブレード両端部の領域ｕに書込こまれた総画素数に応じて、トナー帯を形成する画素の印字面積率を変更することによって、一定のトナー帯の幅ｄに付着する最適トナー量をブレード２９のエッジに供給すればブレードのめくれ、トナーすり抜けを回避することができる。
【００８５】
第４の発明は、プリント設定枚数が第１の基準値未満の場合、過去最終のプリント時の第２の基準値の枚数間でブレード両端部に対応する領域ｕ（図３参照）に書込まれた総画素数とトナー帯の形成直前の中間転写体の総走行距離に応じて、トナー帯の副走査方向の幅ｄ（図２参照）を変更し、トナー帯のトナー量を管理することを特徴としている。
【００８６】
すなわち、中間転写体の表面の粗さは使用されるに従って滑らかになり、摩擦係数が低くなる。これに伴ってブレードのエッヂ部に供給するトナー量を低減できる。したがって、第２の基準値の枚数間でブレード両端部に対応する領域に書込まれた総画素数と中間転写体の総走行距離とに対応してトナー帯の幅ｄを変更することによって最適なトナー量をブレードのエッジに供給すればブレードのめくれ、トナーすり抜けを回避することができる。
【００８７】
第５の発明は、プリント設定枚数が第１の基準値未満の場合、過去最終のプリント時の第２の基準値の枚数間でブレード両端部に対応する領域ｕ（図３参照）に書込まれた総画素数とトナー帯の形成直前の中間転写体の総走行距離に応じて、露光電位と現像バイアス電位との差を変更することによって、一定の幅ｄ（図２参照）のトナー帯に付着する最適トナー量をブレードのエッジに供給すればブレードのめくれ、トナーすり抜けを回避することができる。なお、この場合、幅ｄは一定とする。
【００８８】
すなわち、中間転写体の表面の粗さは使用されるに従って滑らかになり、摩擦係数が低くなる。これに伴ってブレードのエッヂ部に供給するトナー量を低減できる。したがって、中間転写体の総走行距離と第２の基準値の枚数間でブレード両端部に対応する領域ｕに書込まれた総画素数とに応じて、露光電位と現像バイアス電位との差を変更することによってトナー帯の最適トナー量をブレードのエッジに供給すればブレードのめくれ、トナーすり抜けを回避することができる。
【００８９】
第６の発明、プリント設定枚数が第１の基準値未満の場合、過去最終のプリント時の第２の基準値の枚数間でブレード両端部に対応する領域ｕ（図３参照）に書込まれた総画素数とトナー帯の形成直前の中間転写体の総走行距離に応じて、画素の印字面積率を変更し、トナー量を管理することを特徴としている。
【００９０】
すなわち、中間転写体の総走行距離が増加するに従って、中間転写体の表面の摩耗度が変化し、滑り易くなる。中間転写体の総走行距離と第２の基準値でのブレード両端部の書込み画素数に応じて、トナー帯を形成する画素の印字面積率を変更することによって、一定の幅ｄに付着する最適トナー量をブレード２９のエッジに供給すればブレードのめくれ、トナーすり抜けを回避することができる。
【００９１】
第７の発明は、プリント設定枚数が第１の基準値以上の場合、過去最終（直近）のプリント時の第２の基準値の枚数間でブレード２９両端部に対応する領域ｕ（図３参照）に書込まれた総画素数とトナー帯の形成直前の機内温度とに応じて、トナー帯の副走査方向長さである幅ｄ（図２参照）を変更して感光体に形成し、中間転写体に転写するとともに、プリント数が第１の基準値のｎ倍に達する度に、（ｎ−１）倍目の総プリント作成時にブレードの両端に対応する領域ｕに書込まれた総画素数と、＜（第１の基準値）×（ｎ−１）＋１＞番目の画像領域前方近傍の非画像領域の主走査方向形成するトナー帯の形成直前の機内温度に応じて、当該トナー帯の副走査方向の幅ｄを変更し、トナー量を管理することを特徴としている。
【００９２】
すなわち、プリント設定枚数が第１の基準値以上の場合、１番目のトナー帯形成については、プリント設定枚数が第１の基準値未満の場合と同じプロセスを辿るが、プリント枚数が第１の基準値のｎ倍に達する度に、（ｎ−１）倍目の基準値の枚数間における総プリント作成時にブレードの両端に対応する領域に書込まれた総画素数と、＜（第１の基準値）×（ｎ−１）＋１＞番目の画像領域前方近傍の非画像領域の主走査方向に形成するトナー帯の形成直前の機内温度に応じて、当該トナー帯の副走査方向の幅ｄを変更し、幅ｄに対応する最適トナー量をブレード２９のエッジに供給すればブレードのめくれ、トナーすり抜けを回避することができる。
【００９３】
第８の発明は、プリント設定枚数が第１の基準値以上の場合、過去最終（直近）のプリント時の第２の基準値の枚数間でブレード両端部に対応する領域ｕ（図３参照）に書込まれた総画素数とトナー帯の形成直前の機内温度とに応じて、露光電位と現像バイアス電位との差を変更して、トナー帯を感光体上に形成して中間転写体に転写するとともに、プリント数が第１の基準値のｎ倍に達する度に、（ｎ−１）倍目の総プリント作成時にクリーニングブレードの両端に対応する領域ｕに書込まれた総画素数と、＜（第１の基準値）×（ｎ−１）＋１＞番目の画像領域前方近傍の非画像領域の主走査方向形成するトナー帯の形成直前の機内温度に応じて、ｎ番目のトナー帯形成時の露光電位と現像バイアス電位との差を変更し、トナー量を管理することを特徴としている。
【００９４】
すなわち、プリント設定枚数が第１の基準値以上の場合、１番目のトナー帯形成については、プリント設定枚数が第１の基準値未満の場合と同じプロセスを辿るが、プリント枚数が第１の基準値のｎ倍に達する度に、（ｎ−１）番目の基準値の枚数間における総プリント作成時にブレードの両端に対応する領域ｕに書込まれた総画素数と、＜（第１の基準値）×（ｎ−１）＋１＞番目の画像領域前方近傍の非画像領域の主走査方向に形成するトナー帯の形成直前の機内温度に応じて、ｎ番目のトナー帯形成時の露光電位と現像バイアス電位との差を変更し、一定の幅ｄのトナー帯に付着する最適トナー量をブレード２９のエッジに供給すればブレードのめくれ、トナーすり抜けを回避することができる。
【００９５】
第９の発明は、プリント設定枚数が第１の基準値以上の場合、過去最終のプリント時の第２の基準値の枚数間でブレード両端部に対応する領域ｕ（図３参照）に書込まれた総画素数と１番目の画像領域前方近傍の非画像領域の主走査方向に形成するトナー帯の形成直前の機内温度とに応じて、前記トナー帯の副走査方向長さ幅ｄ（図２参照）とに応じて、当該トナー帯の画素の印字面積率を変更して前記中間転写体に転写するとともに、プリント数が第１の基準値のｎ倍に達する度に、（ｎ−１）倍目の総プリント作成時にブレード２９の両端に対応する領域に書込まれた総画素数と、＜（第１の基準値）×（ｎ−１）＋１＞番目の画像領域前方近傍の非画像領域の主走査方向形成するトナー帯の形成直前の機内温度に応じて、当該トナー帯の画素印字面積率を変更し、トナー量を管理することを特徴としている。
【００９６】
すなわち、プリント設定枚数が第１の基準値以上の場合、１番目のトナー帯については、プリント設定枚数が第１の基準値未満の場合と同じプロセスを辿るが、プリント枚数が第１の基準値のｎ倍に達する度に、（ｎ−１）倍目の基準値の枚数間における総プリント作成時にブレードの両端に対応する領域ｕに書込まれた総画素数と、＜（第１の基準値）×（ｎ−１）＋１＞番目の画像領域前方近傍の非画像領域の主走査方向に形成するトナー帯の形成直前の機内温度に応じて、ｎ番目トナー帯形成時の画素の印字面積率を変更し、一定の幅ｄのトナー帯に付着する最適トナー量をブレード２９のエッジに供給すればブレードのめくれ、トナーすり抜けを回避することができる。
【００９７】
第１０の発明は、プリント設定枚数が第１の基準値以上の場合、過去最終のプリント時のに第２の基準値の枚数間でブレード両端部に対応する領域ｕ（図３参照）に書込まれた総画素数と１番目の画像領域前方近傍の非画像領域の主走査方向に形成するトナー帯の形成直前の中間転写体の総走行距離とに応じて、前記トナー帯の副走査方向長さ幅ｄ（図２参照）を変更するとともに、プリント数が第１の基準値のｎ倍に達する度に、（ｎ−１）倍目の総プリント作成時にブレード２９の両端に対応する領域ｕに書込まれた総画素数と、＜第１の基準値）×（ｎ−１）＋１＞番目の画像領域前方近傍の非画像領域の主走査方向形成するトナー帯の形成直前の中間転写体の総走行距離とに応じて、前記トナー帯の副走査方向長さ幅ｄを変更し、トナー量を管理することを特徴としている。
【００９８】
すなわち、プリント設定枚数が第１の基準値以上の場合、１番目のトナー帯については、プリント設定枚数が第１の基準値未満の場合と同じプロセスを辿るが、プリント数が第１の基準値のｎ倍に達する度に、（ｎ−１）倍目の総プリント作成時のプリント中のブレード両端部に対応する領域ｕに書込まれた画素数と＜（第１の基準値）×（ｎ−１）＋１＞番目の画像領域前方近傍の非画像領域の主走査方向に形成するトナー帯の形成直前の中間転写体の総走行距離に応じてｎ番目のトナー帯を形成する画素の印字面積率を変更し、一定の幅のトナー帯に付着するトナー量をブレードのエッジに供給すればブレードのめくれ、トナーすり抜けを回避することができる。
【００９９】
第１１の発明は、プリント設定枚数が第１の基準値以上の場合、過去最終のプリント時の第２の基準値の枚数間でブレード両端部に対応する領域ｕ（図３参照）に書込まれた総画素数と１番目の画像領域前方近傍の非画像領域の主走査方向に形成するトナー帯の形成直前の中間転写体の総走行距離とに応じて、前記トナー帯形成時の露光電位と現像バイアス電位との差を変更するともに、プリント数が第１の基準値のｎ倍に達する度に、（ｎ−１）番目の総プリント作成時のブレードの両端に対応する領域ｕに書込まれた総画素数と、ｎ番目の画像領域前方近傍の非画像領域の主走査方向に形成するトナー帯の形成直前の前記中間転写体の総走行距離とに応じて、ｎ番目のトナー帯形成時の露光電位と現像バイアス電位との差を変更し、トナー量を管理することを特徴としている。
【０１００】
すなわち、プリント設定枚数が第１の基準値以上の場合、１番目のトナー帯形成については、プリント設定枚数が第１の基準値未満の場合と同じプロセスを辿るが、プリント枚数が第１の基準値のｎ倍に達する度に、（ｎ−１）倍目の基準値の枚数間における総プリント作成時にブレードの両端に対応する領域ｕに書込まれた総画素数と、＜（第１の基準値）×（ｎ−１）＋１＞番目の画像領域前方近傍の非画像領域の主走査方向に形成するトナー帯の形成直前の中間転写体の総走行距離とに応じて、ｎ番目のトナー帯形成時の露光電位と現像バイアス電位との差を変更し、一定の幅ｄのトナー帯に付着する最適トナー量をブレード２９のエッジに供給すればブレードのめくれ、トナーすり抜けを回避することができる。
【０１０１】
第１２の発明は、プリント設定枚数が第１の基準値以上の場合、過去最終のプリント時の第２の基準値の枚数間でブレード両端部に対応する領域ｕ（図３参照）に書込まれた総画素数と１番目の画像領域前方近傍の非画像領域の主走査方向に形成するトナー帯の形成直前の中間転写体の総走行距離とに応じて、前記トナー帯形成時の画素の印字面積率を変更するともに、プリント数が第１の基準値のｎ倍に達する度に、（ｎ−１）倍目の総プリント作成時にブレード２９の両端に対応する領域ｕに書込まれた総画素数と、＜（第１の基準値）×（ｎ−１）＋１＞番目の画像領域前方近傍の非画像領域の主走査方向形成するトナー帯の形成直前の中間転写体の総走行距離とに応じて、ｎ番目のトナー帯形成時の画素の印字面積率を変更し、トナー帯のトナー量を管理することを特徴としている。
【０１０２】
すなわち、プリント設定枚数が第１の基準値以上の場合、１番目のトナー帯形成については、プリント設定枚数が第１の基準値未満の場合と同じプロセスを辿るが、プリント枚数が第１の基準値のｎ倍に達する度に、（ｎ−１）倍目の基準値の枚数間における総プリント作成時にクリーニングブレードの両端に対応する領域ｕに書込まれた総画素数と、＜（第１の基準値）×（ｎ−１）＋１＞番目の画像領域前方近傍の非画像領域の主走査方向に形成するトナー帯の形成直前の中間転写体の総走行距離とに応じて、ｎ番目のトナー帯形成時の画素の印字面積率を変更し、一定の幅ｄのトナー帯に付着する最適トナー量をブレードのエッジに供給すればブレードのめくれ、トナーすり抜けを回避することができる。
【０１０３】
以上、上記したトナー帯は、主走査方向全幅（最大露光幅）に形成されているが、必ずしも全幅にする必要はなく、中間転写体との摩擦係数が高くなりがちなブレード両端部（ブレードの両端からそれぞれ所定の幅で定義される領域）のみとしてもよく、こうすることで、ブレードめくれを回避でき且つトナー消費量を抑制することもできる。ブレード両端部の領域としては、例えば、各々両端（画像領域の主走査方向端部）２９１から各４０ｍｍの位置よりも外側の領域のみにトナー帯を形成する方法をとればよい。
【０１０４】
上記発明に関し、下記の条件で、ブレードめくれ、トナーすり抜けについて確認実験を行った。
【０１０５】
ａ）条件
＜プロセス＞
プロセス線速度：      ２２０ｍｍ／ｓｅｃ
現像スリーブ線速度：      ３３０ｍｍ／ｓｅｃ
感光体帯電電位ＶＨ：      −８００Ｖ
感光体露光電位ＶＬ：      −１００Ｖ
現像バイアス電位（ＤＣ）Ｖｄｃ：      −６００Ｖ
現像バイアス電位（ＡＣ）Ｖａｃ×２：      −１４００Ｖｐ−ｐ（正弦波５ｋＨｚ）
中間転写体上のトナー付着量：      ０．３８ｍｇ／ｃｍ2
中間転写体ブレード自由長／厚み：      ９．０ｍｍ／２．０ｍｍ
（自由長：図１参照）
中間転写体ブレード硬度：      ６８度（ＪＩＳ  Ａ硬度）
中間転写体ブレード当接圧：      １８ｇｆ／ｃｍ
トナー帯形成条件の第１の基準値：      ５Ｐ（枚）
トナー帯形成条件の第２の基準値：      ５Ｐ（枚）
中間転写体ブレード両端部の領域：      両端から各４０ｍｍ
＜トナー＞
体積平均粒径：      ３〜５μｍ
球形化度：      ０．９３〜０．９６
粒度分布のシャープ度（ＣＶ値）：      ２５％以下
外添剤粒径と添加量を規定
＜キャリア＞
体積平均粒径：      １５〜５０μｍ
磁気の強さ：      ３０〜８０ｅｍｕ／ｇ
現像トナー濃度：      ５〜８％
ｂ）実写テスト
プリント工程：      表１参照
総プリント数：      １８０ＫＰ、ＬＬ（低温低湿）／ＮＮ（                                            常温常湿）／ＨＨ（高温高湿）                                        環境：      １０℃、２０％ＲＨ（ＬＬ）
：      ２０℃、５０％ＲＨ（ＮＮ）
：      ３０℃、８０％ＲＨ（ＨＨ）
各原稿の印字率／プリント総数比：      印字率１％／３０％
印字率６％／４０％
印字率３０％／３０％
【０１０６】
【表１】
2005106919.tif 000003
【０１０７】
上記条件の基に、表１のような工程にて総プリント１８０ＫＰ（１８万枚）の実写テストを行った。
【０１０８】
【表２】
2005106919.tif 000004
【０１０９】
第１の基準値を５プリント、第２の基準値を５プリントとし、プリント設定値が基準値未満である３プリント固定で１８０ＫＰの実写を行った結果を表２に示す（ただし、表中の比較例１はトナー帯形成に際し、形成条件を付けない場合（対策無しの場合）のテスト結果を示す）。その結果、請求項１〜６のいずれかの方法でトナー帯の形成を行ったが中間転写体のブレードめくれ、及びトナーすり抜けは発生しなかった。
【０１１０】
【表３】
2005106919.tif 000005
【０１１１】
第１の基準値を５プリント、第２の基準値を５プリントとし、プリント設定値が基準値以上の５００プリント固定で１８０ＫＰの実写を行った結果を表３に示す（ただし、表中の比較例２はトナー帯形成に際し、形成条件を付けない場合（対策無しの場合）のテスト結果を示す）。その結果、請求項７〜１２のいずれかの方法でトナー帯の形成を行ったが中間転写体のブレードめくれ、及びトナーすり抜けは発生しなかった。
【０１１２】
従って、上記確認実験にて、本発明の効果が確認された。
【図面の簡単な説明】
【０１１３】
【図１】画像形成装置の全体構成の一例を示す模式図である。
【図２】中間転写体上の画像領域前方近傍の非画像領域に形成されたトナー帯を示す図である。
【図３】画像領域内のブレード両端部から所定の長さで定義される領域を示す図である。
【図４】制御部に係わるブロック図である。
【図５】第１の基準値未満のプリント設定枚数時のプリントの流れとトナー帯の形成を示す図である。
【図６】第１の基準値以上のプリント設定枚数時のプリントの流れとトナー帯の形成を示す図である。
【符号の説明】
【０１１４】
１  画像形成手段
３  ベルトユニット
１０  感光体
１１  スコロトロン帯電器
１３  現像器
２０  中間転写ベルト
２５  転写器
２６  転写ローラ
２８Ａ  温度センサ
２９  ブレード
【図１】
2005106919.tif 000006
【図２】
2005106919.tif 000007
【図３】
2005106919.tif 000008
【図４】
2005106919.tif 000009
【図５】
2005106919.tif 000010
【図６】
2005106919.tif 000011